(57)【要約】【課題】コンタミネーションやアウトガスが磁気ディスクに付着することを防止すること。【解決手段】磁気ディスク１の表面に塗布されている潤滑剤と同質の潤滑剤でスイングアーム用転がり軸受ユニット４にコーティングを施した。そのため、磁気ディスクと磁気ヘッドとの間の距離が小さくても（１０nm以下であっても）、スイングアーム用転がり軸受ユニット４からコンタミネーションやアウトガスが発生することを抑制でき、コンタミネーションやアウトガスが磁気ディスク１に付着することを防止することができる。【選択図】  図１
2008112528.tif 000002
【特許請求の範囲】
【請求項１】
表面に磁性体が塗布された磁気ディスクと、基端側にスイングアーム用転がり軸受ユニットが取り付けられ、前記スイングアーム用転がり軸受ユニット回りに回転して、先端を前記磁気ディスクの半径方向に移動させるスイングアームと、前記スイングアームの先端に取り付けられ、前記磁気ディスクの磁性体の磁化状態を変化させて、前記磁気ディスクへのデータの読み出し及び書き込みを行う磁気ヘッドと、を備え、前記磁気ディスク表面には、潤滑剤が塗布されているハードディスクドライブのスイングアーム用転がり軸受ユニットであって、
前記磁気ディスク表面に塗布されている潤滑剤と同質の潤滑剤でコーティングを施したことを特徴とするスイングアーム用転がり軸受ユニット。
【請求項２】
前記スイングアーム用転がり軸受ユニットを構成する転がり軸受の表面に前記磁気ディスク表面に塗布されている潤滑剤と同質の潤滑剤でコーティングを施したことを特徴とする請求項１に記載のスイングアーム用転がり軸受ユニット。
【請求項３】
前記スイングアーム用転がり軸受ユニットを構成する転がり軸受の潤滑剤に前記磁気ディスク表面に塗布されている潤滑剤と同質の潤滑剤を用いることを特徴とする請求項１又は２に記載のスイングアーム用転がり軸受ユニット。
【請求項４】
前記磁気ディスクの記録方式は、垂直磁気録方式であり、前記磁気ディスクと前記磁気ヘッドとの間の距離は、１０nm以下であることを特徴とする請求項１から３のいずれか１項に記載のスイングアーム用転がり軸受ユニット。
【発明の詳細な説明】
【技術分野】
【０００１】
本発明は、ハードディスクドライブのスイングアーム用転がり軸受ユニットに関する。
【背景技術】
【０００２】
従来、この種のスイングアーム用転がり軸受ユニットが適用されるハードディスクドライブとしては、表面に磁性体が塗布された磁気ディスクと、基端側回りに回転し、先端を磁気ディスクの半径方向に移動させるスイングアームと、スイングアームの先端に取り付けられ、磁気ディスクの磁性体の磁化状態を変化させて、磁気ディスクへのデータの読み出しや書き込みを行う磁気ヘッドと、を備えたものがある（例えば、特許文献１参照）。
このようなハードディスクドライブにあっては、近年、小型化・高容量化・高精度化が進み、磁気ディスクと磁気ヘッドとの間の距離が１０nm以下と小さくなっている。
【特許文献１】特開平７―８２６９８号公報
【発明の開示】
【発明が解決しようとする課題】
【０００３】
しかしながら、上記従来の技術にあっては、磁気ディスクと磁気ヘッドとの間の距離が小さいので、磁気ディスク表面にコンタミネーションやアウトガス、アウトパーティクル等が付着すると、読み取りエラーや書き込みエラーが発生する恐れがあった。
本発明は、上記従来の技術に鑑みてなされたものであって、コンタミネーションやアウトガスが磁気ディスクに付着することを防止可能なスイングアーム用転がり軸受ユニットを提供することを課題とする。
【課題を解決するための手段】
【０００４】
上記課題を解決するために、本発明のスイングアーム用転がり軸受ユニットは、表面に磁性体が塗布された磁気ディスクと、基端側にスイングアーム用転がり軸受ユニットが取り付けられ、前記スイングアーム用転がり軸受ユニット回りに回転して、先端を前記磁気ディスクの半径方向に移動させるスイングアームと、前記スイングアームの先端に取り付けられ、前記磁気ディスクの磁性体の磁化状態を変化させて、前記磁気ディスクへのデータの読み出し及び書き込みを行う磁気ヘッドと、を備え、前記磁気ディスク表面には、潤滑剤が塗布されているハードディスクドライブのスイングアーム用転がり軸受ユニットであって、前記磁気ディスク表面に塗布されている潤滑剤と同質の潤滑剤でコーティングを施したことを特徴とする。
【０００５】
また、前記スイングアーム用転がり軸受ユニットを構成する転がり軸受の表面に前記磁気ディスク表面に塗布されている潤滑剤と同質の潤滑剤でコーティングを施してもよい。
さらに、前記スイングアーム用転がり軸受ユニットを構成する転がり軸受の潤滑剤に前記磁気ディスク表面に塗布されている潤滑剤と同質の潤滑剤を用いてもよい。
また、前記磁気ディスクの記録方式は、垂直磁気録であり、前記磁気ディスクと前記磁気ヘッドとの間の距離は、１０nm以下であってもよい。
このような構成によれば、コンタミネーションやアウトガスが発生することを抑制でき、コンタミネーションやアウトガスが磁気ディスクに付着することを防止できる。
【発明を実施するための最良の形態】
【０００６】
以下、本発明のスイングアーム用転がり軸受ユニットを、ハードディスクドライブに適用した実施の形態を図面に基づいて説明する。
＜ハードディスクドライブの構成＞
ハードディスクドライブは、図１に示すように、磁気ディスク１、スイングアーム２及び磁気ヘッド３を含んで構成される。
【０００７】
磁気ディスク１は、樹脂製の薄い円盤に磁性体が塗布されてなる記憶媒体
であり、スピンドルモータによって回転駆動される。
また、磁気ディスク１の表面には、磁気ディスク１の摩耗や損傷を防ぐために、磁気ディスク１を構成する成分との親和性が高い潤滑剤を塗布した（潤滑膜を形成した）。
潤滑剤としては、例えば、ＦＯＭＢＬＩＮ製のＺ−ＤＯＬ、ＡＭ３００１、Ｚ、ＴＥＴＲＡＯＬ、ＤＥＭＮＵＭ製のＳＡ、ＳＰが挙げられる。
【０００８】
なお、磁気ディスク１の記録方式としては、垂直磁気記録方式（磁界が磁気記録面に対して垂直に向くよう磁性体を配置する方式）が用いられている。
スイングアーム２は、基端側にスイングアーム２を回転自在に支持するスイングアーム用転がり軸受ユニット４が取り付けられ、スイングアーム用転がり軸受ユニット４回りに回転して、先端を磁気ディスク１の半径方向に移動させる。
【０００９】
スイングアーム用転がり軸受ユニット４は、図２に示すように、シャフト５、ハウジング６及び転がり軸受７を含んで構成される。
シャフト５は、ハードディスクドライブのケース８に取り付けられ、転がり軸受７の内輪９が外嵌固定される。
ハウジング６は、スイングアーム２の基端側に取り付けられ、転がり軸受７の外輪１０が内嵌固定される。
【００１０】
転がり軸受７は、図３に示すように、外周面に軌道面を有する内輪９、内周面に軌道面を有する外輪１０、その内輪９の軌道面と外輪１０の軌道面との間に回転自在に配された複数の転動体１１、及び内輪９と外輪１０との間のすき間を覆うシールド板１２、１２を含んで構成される。
また、転がり軸受７の表面には、磁気ディスク１の表面に塗布した潤滑剤と同質の潤滑剤でコーティングを施した。
【００１１】
さらに、転がり軸受７の外輪１０と内輪９との間には、磁気ディスク１の表面に塗布した潤滑剤と同質の潤滑剤を充填した。
また、スイングアーム用転がり軸受ユニット４には、磁気ディスク１の表面に塗布した潤滑剤と同質の潤滑剤でコーティングを施した。
磁気ヘッド３は、磁気ヘッド３の先端に取り付けられ、磁気ディスク１の回転に伴って生じる空気の流れによって磁気ディスク１表面から僅かに（例えば、１０nm以下）浮上し、磁気ディスク１の磁性体の磁化状態を電気的に変化させ、磁気ディスク１へのデータの読み出し及び書き込みを行なう。
【００１２】
＜スイングアーム用転がり軸受ユニットの作用・効果＞
このように、本実施形態のスイングアーム用転がり軸受ユニットにあっては、磁気ディスク１の表面に塗布されている潤滑剤と同質の潤滑剤でスイングアーム用転がり軸受ユニット４にコーティングを施した。そのため、磁気ディスクと磁気ヘッドとの間の距離が小さくても（１０nm以下であっても）、スイングアーム用転がり軸受ユニット４からコンタミネーションやアウトガスが発生することを抑制でき、コンタミネーションやアウトガスが磁気ディスク１に付着することを防止することができ、磁気ディスク１へのデータの読み出しエラー及び書き込みエラーを抑制することができる。
【００１３】
また、転がり軸受７の表面に磁気ディスク１表面に塗布されている潤滑剤と同質の潤滑剤でコーティングを施した。そのため、転がり軸受７からコンタミネーションやアウトガスが発生することを抑制でき、コンタミネーションやアウトガスが磁気ディスク１に付着することを防止することができ、磁気ディスク１へのデータの読み出しエラー及び書き込みエラーを抑制することができる。
【００１４】
さらに、スイングアーム用転がり軸受ユニット４や転がり軸受７全体に潤滑剤をコーティングすることで、組み付け時の治具との接触時や位置決め着座時、ネジの締め付け時にパーティクルが発生することを防止することができる。
また、転がり軸受７の潤滑剤に磁気ディスク１表面に塗布されている潤滑剤と同質の潤滑剤を用いた。そのため、転がり軸受７の潤滑剤が飛散し、潤滑剤が磁気ディスク１に付着しても、データの読み出しエラー及び書き込みエラーを抑制することができる。
【図面の簡単な説明】
【００１５】
【図１】ハードディスクドライブの概略構成を示す構成図である。
【図２】図１のスイングアーム用転がり軸受ユニットを拡大して示す要部拡大図である。
【図３】図２の転がり軸受を拡大して示す要部拡大図である。
【符号の説明】
【００１６】
１は磁気ディスク、２はスイングアーム、３は磁気ヘッド、４はスイングアーム用転がり軸受ユニット、５はシャフト、６はハウジング、７は転がり軸受、８はケース、９は内輪、１０は外輪、１１は転動体、１２はシールド板
【図１】
2008112528.tif 000003
【図２】
2008112528.tif 000004
【図３】
2008112528.tif 000005